(57)【要約】  本発明は、移動電話やセルラ電話、PDAなどのような携帯端末と通信する外部表示装置に関する。特に本発明は、移動端末のユーザーが様々な情報を表示するために外部表示装置を利用することを可能とすることに関する。さらに本発明は、外部表示装置と移動端末との間の通信を提供するシステム及び方法に関する。
2006502473.tif 000002
【特許請求の範囲】
【請求項１】
外部表示装置と移動端末との間の通信セッションを提供する方法であって、
（ａ）第１の通信ネットワークを通じて前記移動端末と接続している前記外部表示装置が、前記通信セッションを確立するためのリクエストを前記移動端末から受信するステップと、
（ｂ）前記外部表示装置が、前記移動端末からインストラクション・データを受信して前記インストラクション・データを実行するステップと、
を備える方法。
【請求項２】
前記受信するステップの前に、前記移動端末の識別情報が有効であることを保証するため、前記外部表示装置が前記識別情報を検証するステップをさらに備える請求項１に記載の方法。
【請求項３】
前記識別情報を検証するステップが前記識別された移動端末が有効であると判断するまで、前記外部表示装置によって待機イメージを表示するステップをさらに備える請求項２に記載の方法。
【請求項４】
前記外部表示装置が前記移動端末からの前記リクエストを待ち受けるステップをさらに備える請求項１から３のいずれかに記載の方法。
【請求項５】
前記移動端末が、識別情報信号を含む前記リクエストを前記外部表示装置に送信するステップをさらに備える請求項１から４のいずれかに記載の方法。
【請求項６】
前記識別情報は、International Mobile Subscriber
Identifier (IMSI)である、請求項１から５のいずれかに記載の方法。
【請求項７】
前記識別情報を検証するステップは、検証データを前記外部表示装置と通信するサーバーと第２の通信ネットワークを通じて通信している前記外部表示装置が、データベース検索を遂行するステップをさらに備える請求項１から６のいずれかに記載の方法。
【請求項８】
前記検証データに従って前記通信セッションを終了するステップをさらに備える請求項７に記載の方法。
【請求項９】
前記識別情報を検証するステップは、前記通信セッションのパラメータを記録するセッションレコーダーを起動するステップを備える、請求項１から８のいずれかに記載の方法。
【請求項１０】
前記通信セッション・パラメータは、ログイン時間やログアウト時間、及び／又は転送データ量などの情報を含む、請求項１から９のいずれかに記載の方法。
【請求項１１】
前記通信セッションが開始したことを前記移動端末のユーザーに教えるために、前記外部表示装置が準備完了イメージを表示するステップをさらに備える、請求項１から１０のいずれかに記載の方法。
【請求項１２】
前記移動端末がインストラクション・データを前記外部表示装置に送信するステップをさらに備える請求項１から１１のいずれかに記載の方法。
【請求項１３】
前記インストラクション・データが、前記外部表示装置に表示されるべきグラフィックデータ、又は、前記外部表示装置によって実行されるべき制御データ、又は、それらの如何なる組み合わせ、のいずれかを含む請求項１２に記載の方法。
【請求項１４】
前記外部表示装置が、前記通信セッション・パラメータに従って前記通信端末に課金するステップを備える、請求項１から１３のいずれかに記載の方法。
【請求項１５】
前記課金するステップは、前記セッションレコーダーによる前記通信セッション・パラメータの記録を終了するステップと、前記通信セッション・パラメータを基に、前記移動端末の口座から引き落とす額を前記外部表示装置が計算するステップとを備える、請求項１４に記載の方法。
【請求項１６】
前記外部表示装置が、前記第２の通信ネットワークを通じて前記引き落とし額を前記サーバーに伝達するステップをさらに備える請求項１５に記載の方法。
【請求項１７】
前記外部表示装置が前記インストラクション・データ中に終了命令を識別するまで、前記通信セッションを維持するステップを備える、請求項１から１６のいずれかに記載の方法。
【請求項１８】
要求している通信端末との通信セッションを提供する外部表示装置であって、
（ａ）第１の通信ネットワークを通じて前記通信端末と通信するための第１のI/Oユニットと、
（ｂ）前記第１のI/Oユニットによって受信したインストラクション・データを実行する処理ユニットと、
（ｃ）第１の駆動ユニットによって駆動されて画像を表示すると共に、前記処理ユニットの命令に従って画像を表示するディスプレイユニットと、を備える外部表示装置
【請求項１９】
前記第１のI/Oユニットは、前記第１の通信ネットワークに接続するために、赤外線接続やBluetooth接続などの無線接続手段、又は、ドケットステーションや有線コネクタなどの優先接続手段、又は、これらの如何なる組み合わせ、のいずれかを備える、請求項１８に記載の外部表示装置。
【請求項２０】
第２の通信ネットワークを通じてサーバーと通信するための第２のI/Oユニットを備えると共に、前記処理ユニットは前記第２のI/Oユニットが受信したデータを提供するように構成される、請求項１８又は１９に記載の外部表示装置。
【請求項２１】
前記第２のI/Oユニットは、専用線、構内通信網、広域通信網、都市領域ネットワーク、インターネットワーク、又はこれらの如何なる組み合わせ、のいずれかと、有線又は無線で接続する手段を備える、請求項１８から２０のいずれかに記載の外部表示装置。
【請求項２２】
前記処理ユニットは、前記移動端末から受信したインストラクション・データを実行するように構成されたマイクロプロセッサーを備え、前記インストラクション・データは、前記ディスプレイに直接表示するためのグラフィックデータ又は前記マイクロプロセッサーで直接実行するための制御データである、請求項１８から２１のいずれかに記載の外部表示装置。
【請求項２３】
前記ディスプレイは、６インチから４２インチの範囲や、６インチから１２インチ、１０インチから１６インチ、１４インチから２６インチ、２４インチから４２インチなどの範囲の大きさを備える、請求項１８から２２のいずれかに記載の外部表示装置。
【請求項２４】
前記ディスプレイは、互いに関連した一群のディスプレイユニットを備える、請求項１８から２３のいずれかに記載の外部表示装置。
【請求項２５】
前記ディスプレイは、ブラウン管ディスプレイ、液晶ディスプレイ、投写型ディスプレイ、又はこれらの如何なる組み合わせ、のいずれかを備える請求項１８から２４のいずれかに記載の外部表示装置。
【請求項２６】
前記処理ユニットは、複数の移動端末からのインストラクション・データを同時に実行するように構成される、請求項１８から２５のいずれかに記載の外部表示装置。
【請求項２７】
前記処理ユニットからの前記インストラクション・データに従って音声を受信する第２の駆動部によって駆動されるラウドスピーカーをさらに備える請求項１８から２６のいずれかに記載の外部表示装置。
【請求項２８】
前記第２の通信ネットワークは、ムービーストリームやゲーム、株式市場展望、インターネットへのアクセス、ショッピング設備、又はこれらを様々に組み合わせたもの等の情報を提供している複数のサーバーへの接続手段を備える、請求項１８から２７のいずれかに記載の外部表示装置。
【請求項２９】
請求項１から１７のいずれかに記載される方法の如何なる特徴をも組み込むことのできる、請求項１８から２８のいずれかに記載の外部表示装置。
【発明の詳細な説明】
【技術分野】
【０００１】
本発明は、移動電話やセルラ電話、PDAなどのような携帯端末と通信する外部表示装置に関する。特に本発明は、移動端末のユーザーが様々な情報を表示するために外部表示装置を利用することを可能とすることに関する。さらに本発明は、外部表示装置と移動端末との間の通信を提供するシステム及び方法に関する。
【背景技術】
【０００２】
チャットボードやラジオ、MP３プレイヤーは携帯端末の周辺機器としてよく見られるものである。またプリンターや映写ユニットも、計算機や様々なゲーム機によく見られる。実際、飛行機やバス、そして自家用車でさえも、シートの背面にディスプレイを装備し、乗客が移動中にビデオを見たりゲームを楽しんだりできるようになっている。
【０００３】
本願の明細書に参考資料として取り入れられる米国特許公報第6275333号は、セルラ電話の表示画面上にマウントされる取り外し可能な拡大器を備えたセルラ電話の周辺機器を開示している。その拡大器は、視力の弱ったセルラ電話のユーザーが情報を読むことができるように、画面に表示される情報を拡大して見せることができる。しかしながら、この文献に開示された発明は、一般的にセルラ電話のユーザーにのみ表示情報を拡大して提供しようとするものであり、表示画面に表示された情報を周辺機器である表示ユニットに映写する手段を提供するものではない。
【０００４】
本願の明細書に参考資料として取り入れられる国際公報WO02/05518号は、データを表示するための光学投影器が組み込まれたセルラ電話を開示している。このセルラ電話はインターネットなどから無線ネットワークを通じて電子データを受信し、受信したデータを内蔵の投影器を使って外部の面上に投影する。しかしながら、この文献に開示された発明は、セルラ電話が受信した情報を表示するための、個別に組み込まれる投影器を提供するものである。表示を必要とするどの移動端末にとっても共通に皆で用いうるディスプレイを確立する手段を提供するものではない。
【０００５】
電車や飛行機やホテルのラウンジ、鉄道駅、空港などの公共の場所に設置された、電話やインターネットアクセス、アーケードゲームなどの情報技術装置を貸すことは、今や立派に確立されたビジネスとなっている。しかしながら、貸し情報技術装置はインターネットアクセスを備えたパーソナルコンピューターやセットトップボックスを備えたテレビにパッケージ化されており、このためユーザーは、装置と直接交信し、識別カードやログイン手続きによって自身を同定する。
【特許文献１】米国特許公報第6275333号
【特許文献２】国際公報WO02/05518号
【発明の開示】
【０００６】
本発明の１つの目的は、移動端末と通信し、移動端末を識別し、要求される如何なる情報をも表示するために移動端末が利用しうる、外部表示装置を提供することにより、先行技術が不十分であった点を克服することである。
【０００７】
本発明の別の目的は、外部表示装置と移動端末との間の通信を確立するシステム及び方法を提供することである。
【０００８】
本発明の特に有利な点は、１つ又はそれ以上の移動端末を同時に外部表示装置と通信可能とし、従って、情報を分かち合うための表示基盤を提供する、システムや方法及び外部表示装置を提供することである。情報を分かち合う例として、例えば一緒に同じゲームをするという場合がある。
【０００９】
本発明に際立った特徴の１つは、移動端末がインターネット等の公衆通信ネットワークにアクセスすることを可能とし、移動端末が公衆通信ネットワーク上をブラウズして取引行為を行なうことを可能とすることである。
【００１０】
上記の目的、効果及び特徴は、以下の詳細な説明で明らかになるであろう他の多くの目的、効果及び特徴と共に、本発明の第１の側面によって得られる。本発明の第１の側面とは、移動端末と外部表示装置との間の通信セッションを提供する方法であって、
（ａ）第１の通信ネットワークを通じて該移動端末と接続している該外部表示装置が、該通信セッションを確立するためのリクエストを該移動端末から受信するステップと、
（ｂ）該移動端末の識別情報が有効であることを保証するため、該外部表示装置が該識別情報を検証するステップと、
（ｃ）該外部表示装置が該移動端末からインストラクション・データを受信して該インストラクション・データを実行するステップと、
を備える方法である。
【００１１】
この文脈において、国際出願の明細書の原文における“a”や“ an”は、“１つ”、“ただ１つ”、“少なくとも１つ”、“１つまたはそれ以上”、のように解釈されなければならない。
【００１２】
さらに本発明の第１の側面に従う方法は、識別情報を検証するステップが識別された移動端末が有効であると判断するまで、外部表示装置によって待機イメージを表示するステップを備えることができる。従って外部表示装置は、待機している人に関連情報を提供する、情報基盤を提供することができる。この情報を提供することにより、外部表示装置は実際、このような人達の何人かが、外部表示装置と通信セッションを開始するきっかけを作るかもしれない。待機イメージは、例えば飛行機の発着時刻を示すオンライン時刻表やビデオのような、画像ストリーム及び／又は音声効果を備えることができる。
【００１３】
さらに本発明の第1の側面に従う方法は、外部表示装置が移動端末からのリクエストを待ち受けるステップを備えることができる。待機イメージを表示している間、外部表示装置は、移動端末が通信セッションを開始するのを待つ待機状態に入ることができる。
【００１４】
さらに本発明の第１の側面に従う方法は、移動端末が外部表示装置に、識別情報信号を含むリクエストを送信するステップを備えることができる。移動端末が外部表示装置を利用することを許可するに先立って外部表示装置が移動端末を承認することを可能とするため、移動端末は通信セッションを開始するときに識別情報信号を送信する。識別情報は、International Mobile Subscriber Identifier (IMSI)である。
【００１５】
さらに本発明の第１の側面に従う識別情報を検証するステップは、検証データを上記外部表示装置と通信するサーバーと、第２の通信ネットワークを通じて通信している上記外部表示装置が、データベース検索を遂行するステップを備えることができる。通信を始めようとしている移動端末に関する識別情報は、インターネットのような通信ネットワークを利用して承認されてもよい。外部表示装置が移動端末を承認できない場合は、上記の方法は、検証データに従って、通信セッションを終了することができる。
【００１６】
一方、外部表示装置が移動端末の識別情報を承認する場合は、本発明の第１の側面に従う方法は、通信セッションのパラメータを記録するセッションレコーダーを起動する。通信セッション・パラメータは、ログイン時間やログアウト時間、及び／又は転送データ量などの情報を含むことができる。
【００１７】
さらに本発明の第１の側面に従う方法は、通信セッションが開始したことを移動端末のユーザーに教えるために、外部表示装置が準備完了イメージを表示するステップを備えることができる。ユーザーはそこで外部表示装置が通信を開始している移動端末の識別情報を承認したことを知らされる。
【００１８】
続いて、上記方法はさらに、移動端末がインストラクション・データを外部表示装置に送信するステップを含むことができる。即ち移動端末は、外部表示装置によって実行されるべきインストラクション・データを転送する。インストラクション・データは、外部表示装置に表示されるべきグラフィックデータや、外部表示装置によって実行されるべき制御データや、それらの如何なる組み合わせをも含むことができる。グラフィックデータは、外部表示装置によって何も処理されることなく表示されるべき画像を含むことができる。また制御データは外部表示装置によって遂行されるべき命令を含むことができる。
【００１９】
さらに本発明の第１の側面に従う方法は、外部表示装置が通信セッション・パラメータに従って前記通信端末に課金するステップを備えることができる。この課金するステップは、セッションレコーダーによる通信セッション・パラメータの記録を終了するステップと、該通信セッション・パラメータを基に、移動端末の口座から引き落とす額を外部表示装置が計算するステップとを備えることができる。さらに該引き落とし額は、該外部表示装置によって、第２の通信ネットワークを通じて上記サーバーに伝達されてもよい。または、本発明の第１の側面に従う方法によって提供される、サービスへ課金するステップは、ポップアップやバナーのような公告によって、全部又は一部の料金がまかなわれてもよい。
【００２０】
本発明の別の１つの実施態様では、ユーザーはクレジットカードや現金又はその他の前払い手段によって、予め支払いを行なう。するとユーザーは、支払った金額に従ってサービスを利用することができる。支払った金額は、使用できる時間やデータ転送量を定めるだろう。
【００２１】
通信セッションは、外部表示装置がインストラクション・データ中に終了命令を識別するまで、維持されることができる。
【００２２】
上記の目的、効果及び特徴は、以下の詳細な説明で明らかになるであろう他の多くの目的、効果及び特徴と共に、本発明の第２の側面によって得られる。本発明の第２の側面とは、要求している通信端末との通信セッションを提供する外部表示装置であって、
（ａ）第１の通信ネットワークを通じて該通信端末と通信するための第１のI/Oユニットと、
（ｂ）該第１のI/Oユニットによって受信したインストラクション・データを実行する処理ユニットと、
（ｃ）第１の駆動ユニットによって駆動されて画像を表示すると共に、該処理ユニットの命令に従って画像を表示するディスプレイユニットと、
を備える外部表示装置である。
【００２３】
本発明の第２の側面に従う第１のI/Oユニットは、該第１の通信ネットワークに接続するために、赤外線接続やBluetooth接続などの無線接続手段や、ドケットステーションや有線コネクタなどの優先接続手段、さらにこれらの如何なる組み合わせをも、備えることができる。外部表示装置と移動端末との間に確立された接続は、実際、当業者に知られた如何なる方法の構成要素ともすることができる。
【００２４】
さらに本発明の第２の側面に従う外部表示装置は、第２の通信ネットワークを通じてサーバーと通信するための第２のI/Oユニットを備えることができると共に、上記処理ユニットは第２のI/Oユニットが受信したデータを見せるように構成されることができる。外部表示装置は、本発明の第１の側面を参照して上に説明されたように、ユーザーは、クレジットカードや現金又はその他の前払い手段によって、予め支払いを行なうことができ、又は／加えて、第２のI/Oユニットをサービスへの支払いを確実にするために用いることができる。
【００２５】
本発明の第２の側面に従う第２のI/Oユニットは、専用線、構内通信網（LAN）、広域通信網（WAN）、都市領域ネットワーク、インターネットワーク、又はこれらの如何なる組み合わせのものと、有線又は無線で接続する手段を備えることができる。外部表示装置と、サービスプロバイダーやサーバーとの間に確立した接続は、ケーブル若しくは地上波又は衛星テレビのネットワーク、如何なるコンピュータ・ネットワーク、電源線ネットワーク、電話ネットワーク、又はこれらの如何なる組み合わせによるネットワークについても、その構成要素となることができる。第２の通信ネットワークは、ムービーストリームやゲーム、株式市場概況、インターネットへのアクセス、ショッピング設備、又はこれらを様々に組み合わせたもの等の情報を提供している複数のサーバーへの接続手段を備えることができる。
【００２６】
本発明の第２の側面に従う処理ユニットは、移動端末から受信したインストラクション・データを実行するように構成されたマイクロプロセッサーを備えることができ、そのインストラクション・データはディスプレイに直接表示するためのグラフィックデータや、マイクロプロセッサーで直接実行するための制御データである。マイクロプロセッサーはどんなタイプのものによっても実装されることができ、例えば8031や8051やその系統、また80535のようなマイクロコントローラーでもよい。言うまでもなくこれらは例示であり、複数の移動端末からのインストラクション・データを処理ユニットが同時に実行できそうであれば、当業者に知られた如何なるマイクロプロセッサーやマイクロコントローラーを利用してもよい。
【００２７】
本発明の第２の側面に従うディスプレイは、６インチから４２インチ、６インチから１２インチ、１０インチから１６インチ、１４インチから２６インチ、２４インチから４２インチなどの範囲の大きさを備えることができる。実際、ディスプレイは、互いに関連した一群のディスプレイユニットを備えることができる。ディスプレイは、ブラウン管ディスプレイ、液晶ディスプレイ、投写型ディスプレイ、又はこれらの如何なる組み合わせをも備えることができる。
【００２８】
本発明の第２の側面に従う外部表示装置は、処理ユニットからのインストラクション・データに従って音声を受信する第２の駆動部によって駆動されるラウドスピーカーを備えることができる。当然のことながら、ビデオ信号を表示しているとき、上記外部表示装置は関連する音声信号を移動端末のユーザーに提供することができる。
【００２９】
本発明の第２の側面に従う外部表示装置は、本発明の第１の側面に従う方法の如何なる特徴をも組み込むことができる。
【発明を実施するための最良の形態】
【００３０】
本発明による、上記の及びさらなる目的、効果及び特徴は、以下に本発明の好適な実施形態を、添付図面を参照しつつ、具体的に、詳細に説明することにより、より良く理解されるだろう。ただし以下の説明は発明の範囲を制限するものではない。
【００３１】
以下の様々な実施例の説明において、説明の一部を構成すると共に発明が実施されうる様々な実施形態の具体例が示される添付図面の参照が行なわれる。本発明の範囲を逸脱することなく、他の実施態様を利用でき、また構造的及び機能的な変形が可能であることは、理解されねばならない。
【００３２】
図１は、本発明の第１実施例に従うシステムを示したものである。このシステム全体は引用符号１０で示され、移動電話やセルラ電話、パーソナル・デジタル・アシスタント（PDA）のような移動端末１２を外部表示装置１４と通信可能としている。移動端末１２は外部表示装置１４と、Bluetoothや赤外線接続のような無線通信経路１６によって通信する。しかしながら、本発明の別の実施態様では、移動端末１２は外部表示装置１４と、ケーブルのような優先接続や、ドッキングステーションを通じて通信することができる。
【００３３】
外部表示装置１４は、ネットワーク接続１８を通じ、通信ネットワーク２０と接続し、通信ネットワーク２０上のサービスと通信を確立できる。通信ネットワーク２０には、コンピュータ・ネットワーク（LAN、WAN、MAN、WLAN、インターネットなど）や、電話通信網（一般的なものや無線のもの）、テレビネットワーク（ケーブル、衛星、地上波）、又はこれらの組み合わせなどがある。
【００３４】
通信ネットワーク２０は、複数のサーバー２８へのネットワーク接続２２，２４，２６を有し、サーバー２８は移動端末からの様々な要求に対するサービスを提供する。複数のサーバー２８は、３０，３２，３４で例示され、ショッピング機能やゲーム機能、ビデオ機能などのサービスを要求する移動端末に提供する。しかしながら、当業者に知られるどんな種類のサービスでも満足させうる。
【００３５】
本発明の別の実施態様では、携帯端末は図１に示されるようにBluetoothを通じて表示装置に接続されるが、表示装置１４は携帯端末１２から送信された情報を表示するために用いられる。別の実施態様はプリペイドシステムや無料サービスの方法に基づいており、このため通信ネットワーク２０へのネットワーク接続１８は必要とされない。
【００３６】
図２は、本発明の第１の実施例に従う外部表示装置のブロックダイヤグラムを示し、外部表示装置はその全体が引用符号４０で指し示されている。外部表示装置４０は、見る者に視覚的な情報を提示するディスプレイ４２を備えている。見る者とは、接続している移動端末の持ち主となるだろう。
【００３７】
ディスプレイ４２はどんなサイズでもよく、例えば６インチから４２インチの範囲や、６インチから１２インチ、１０インチから１６インチ、１４インチから２６インチ、２４インチから４２インチなどの範囲の大きさでもよい。実際、ディスプレイ４２は、より大きなディスプレイ群の構成要素となったり特別の視覚効果を得たりするために協力して動作する、一群のディスプレイを含むことができる。
【００３８】
さらに外部表示装置４０は、見る者に音声情報を提示するための、１つ又はそれ以上のラウドスピーカー４４を備えている。１つ又はそれ以上のラウドスピーカーは、モノラルやステレオ・サラウンドのサウンドを形成する普通のラウドスピーカーや、ヘッドホンの構成要素であることができる。
【００３９】
ディスプレイ４２と１つ又はそれ以上のラウドスピーカー４４とは駆動部４６と４８によって、それぞれ駆動される。駆動部４６と４８は、中央処理装置（CPU）５０から受信した情報を通信する。CPUは一般的な用途に用いられるどんな種類のマイクロプロセッサーやマイクロコントローラーでもよい。
【００４０】
移動端末が外部表示装置４０の使用を要求すると、第１のI/Oユニット５２が移動端末からの要求信号を受信することにより、CPU５０に知らされる。要求信号は有線又は無線接続５４によって送信される。接続５４は、図１を参照して示されるように、Bluetoothや赤外線のような無線接続及び／又はケーブルやドッキングステーションのような有線接続を含むことができる。
【００４１】
移動端末が要求するものは、ムービーストリームであるか、株式市場概況であるか。接続５４を通じたインターネット接続であるかもしれない。移動端末を様々な情報プロダクトにアクセス可能にする前に、CPU５０は携帯端末の識別情報を課金のために登録する。CPU５０は、携帯端末の識別情報を得るために、ポーリングやリクエスト手続きを利用する。識別情報はInternational Mobile Subscriber Identifier (IMSI)でもよい。CPU５０は携帯端末のリクエストを処理し、第２のI/Oユニット５６と接続５８を通じてコンピュータ・ネットワーク内に接続しているいずれかのサーバーに接続し、リクエストされたデータをディスプレイ４２及び／又はラウドスピーカー４４に送信する。
【００４２】
CPU５０は外部表示装置４０が携帯端末と通信することを可能とし、外部表示装置が簡単な又は複雑な命令を実行することを可能とする。
【００４３】
本発明のある特別の実施形態において、接続５６は、コンピュータ。ネットワーク内の他のサーバーにアクセスしている第１のサーバーに、CPU５０を直接に接続することができる。それに加え、ハブが第２のI/Oユニット５６と１つ又は複数のサーバーを相互接続してもよい。
【００４４】
携帯端末は、外部表示装置４０に送信したデータ量や、外部表示装置４０との接続に費やした時間に基づき、注文したサービスに対して課金される。
【００４５】
本発明の第１の実施態様に従う携帯端末は、外部表示装置４０との通信において、携帯端末に内蔵されるディスプレイのために携帯端末内部で生成されたグラフィックデータを送信する。従って、外部表示装置４０を利用するセッションの間に必要な演算は、携帯端末によって行なわれる。
【００４６】
本発明の第２の実施態様に従う携帯端末は、外部表示装置４０との通信において、MOVE(object
"A", dX, dY)のような制御データや、さらにより複雑な制御データを、動作しているアプリケーションや外部表示装置４０の演算能力に応じて送信する。携帯端末はこのように、外部表示装置４０上で動作するアプリケーションの制御デバイスのように働く。
【００４７】
外部表示装置４０は、複数の移動端末による同時通信を可能にし、従ってどんな数の移動端末も外部表示装置４０に同時に通信することを可能とする。これは例えばゲームのような、複数のプレイヤーが存在するセッションにおいては特に便利である。本発明の第３の実施態様に従う移動端末と外部表示装置４０との通信は、複数の移動端末のうちの１つが、他の移動端末のために、制御データを外部表示装置４０に伝達することで行なわれることができる。通信している移動端末は、Bluetoothのような無線接続及び／又は有線接続を通じて制御データを他の移動端末から受信する。
【００４８】
本発明の第４の実施態様に従う移動端末と外部表示装置４０との通信は、外部表示装置４０が複数の移動端末のそれぞれから制御データを受信し、一方複数の移動端末も同時にそれぞれと通信することによって、行なわれることができる。外部表示装置４０はランダム・アクセス・メモリ（RAM）のような共有メモリとして振る舞い、そこではメモリが、共有外部表示装置４０へのアクセスを制限するセマフォや他の同期手段などの制限手段によって保護される。
【００４９】
または、外部表示装置４０のピクセルのデータを格納する共有メモリは保護されておらず、このため、たくさんの移動端末がメモリ空間の同じセクションに同時に異なる速度で書き込みを行なう可能性を許している。明らかに、これは外部表示装置４０に表示される画像に歪みを生じるだろう。この場合の共有メモリは、あるピクセルに、いくつかの携帯端末から異なる情報を受け取るだろう。
【００５０】
さらに他の代替例では、メモリ空間の異なるセクションや外部表示装置４０は異なるやり方で保護されることができる。例えば、それぞれの移動端末は、保護された専用のセクションをメモリ空間に有し、保護されたセクションは外部表示装置４０の特定のセクションに対応する。従って各々の移動端末は外部表示装置４０に表示される画像の特定の一部のみ変化させることができる。
【００５１】
本発明のさらに別の実施例では、携帯端末はアプリケーションを直接サーバーから受信する。そしてアプリケーションは携帯端末のプロセッサーで実行され、グラフィックデータは外部表示装置４０に送信される。
【００５２】
アプリケーションは、例えば、売り出し中の製品を見るために移動端末のユーザーに外部表示装置４０を利用することを可能とする、自動ショッピングアプリケーションであることができる。さらにショッピングアプリケーションは、製品を購入し、登録し、ユーザーによる購入を処理し、購入に対して移動加入番号IMSIなどを用いてユーザーに課金することを、移動端末のユーザーができるようにすることができる。
【００５３】
図３は、本発明の第５の実施態様に従う方法のフローチャートである。当該方法の全体は引用符号７０によって指し示されている。方法７０は、図１や図２を参照して説明されたように、移動端末が外部スクリーンを利用できるようにする。方法７０は、スタート７２において初期化を行なう。つまり、ステイタスオペレーションを遂行し、接続中の移動端末の数を０にし、作動モードのために電源を入れる。
【００５４】
方法７０は、状態７４において、外部表示装置をとりあえずスタンバイモードにセットする。この状態において、外部表示装置は待機イメージを表示する。待機イメージは、バックグラウンドで動作する公告や、飛行機や鉄道やバスの発着時刻など、一般的に興味を引かれるどのような情報でもあることができる。
【００５５】
方法７０は、待ち受け状態７６において、外部表示装置に近接した移動端末からの移動端末リクエストを待つ。
【００５６】
外部表示装置を特定の移動端末が利用するために、方法７０は状態７８において、移動端末が識別情報を送信することを可能としている。識別情報は、IMSIやクレジットカード情報やユーザー名であることができる。
【００５７】
方法７０は、チェック８０の間、識別情報が有効であるかをチェックする。チェック８０の間に識別情報を承認する場合、方法７０は、リクエストしてきた移動端末によって使用される時間及び／又は注文されるサービスの記録を取るため、レコーダー８２を起動する。また、チェック８０の間に識別情報を承認しない場合、該方法はログアウト状態１０２に入ることでセッションを終了する。
【００５８】
移動端末の識別情報が方法７０により検証され承認されると、方法７０は画像表示状態８４において、準備完了イメージを外部表示装置に表示する。準備完了イメージはどんなグラフィックスでもよく、静止画でも良いし、音声効果付きの画像のストリームでもよい。
【００５９】
外部表示装置が準備完了イメージを表示している間、方法７０は待ち受け状態８６に入る。待ち受け状態８６において、方法７０は、外部表示装置への移動端末のリクエスト内容を決める、移動端末からのインストラクション・データを待ち受ける。
【００６０】
移動端末は送信８８において、インストラクション・データを送信する。インストラクション・データが外部表示装置に受信されると、該方法は、受信したインストラクション・データの種類を識別するための種類識別状態９０へと入る。インストラクション・データは、図２を参照して上に説明されたように、グラフィックデータや制御データであることができる。インストラクション・データがグラフィックデータの場合、方法７０はデータ表示状態９２へ入り、その間外部表示装置はグラフィックデータを表示する。そして続いて待ち受け状態８６に戻り、さらなるインストラクション・データを待ち受ける。これに対してインストラクション・データが制御データの場合、方法７０は終了状態９４に入り、方法７０は制御データが移動端末からの終了命令を含んでいないか判断する。
【００６１】
制御データが終了命令を含んでいないと方法７０が判断すると、方法７０は実行状態９６へと入り、外部表示装置が制御データを実行することを可能とする。続いて待ち受け状態８６に戻る。これに対して制御データが終了命令を含むと方法７０が判断すると、方法７０はレコーダーストップ状態９８へと入り、金額を計算するために時間やデータ転送料のカウントを終了する。金額は、外部表示装置へ接続していた時間及び／又は通信セッションの間に遂行されたデータ転送料に基づいて計算される。金額は、セッションの間に行なわれた購入の額を含んでいてもよい。
【００６２】
レコーダーストップ状態９８に続き、方法７０は課金状態１００に入り、その移動端末の口座から必要額を引き落とす。
【００６３】
最後に方法７０はログアウト状態１０２に入り、その移動端末は外部表示装置から切り離され、方法７０はスタンバイ表示７４へと戻る。
【図面の簡単な説明】
【００６４】
【図１】本発明の第１，第２，第３，第４実施例に従うシステムを示す。
【図２】本発明の第１，第２，第３，第４実施例に従う外部表示装置のブロックダイヤグラムを示す。
【図３】本発明の第５の実施例に従う外部スクリーンと移動端末間で通信するための方法のフローチャートを示す。
【図１】
2006502473.tif 000003
【図２】
2006502473.tif 000004
【図３】
2006502473.tif 000005
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
I/Oユニットと処理ユニットとディスプレイユニットとを有する外部表示装置と、複数の移動端末との間の通信セッションを提供する方法であって、
（ａ）第１の通信ネットワークを通じて前記複数の移動端末と接続している前記I/Oユニットが、前記通信セッションを確立するためのリクエストを前記複数の移動端末から受信するステップと、
（ｂ）前記I/Oユニットが前記複数の移動端末からインストラクション・データを受信するステップと、
（ｃ）前記処理ユニットが前記インストラクション・データを実行するステップと、
（ｄ）前記ディスプレイユニットが前記インストラクション・データに従ってグラフィックデータを表示するステップと、
を備える方法。
【請求項２】
前記受信するステップの前に、前記複数の移動端末の各々の識別情報が有効であることを保証するため、前記外部表示装置が前記識別情報を検証するステップをさらに備える請求項１に記載の方法。
【請求項３】
前記識別情報を検証するステップが、前記識別された複数の移動端末のうちの１つの移動端末が有効であると判断するまで、前記外部表示装置によって待機イメージを表示するステップをさらに備える請求項２に記載の方法。
【請求項４】
前記外部表示装置が前記複数の移動端末からの前記リクエストを待ち受けるステップをさらに備える請求項１から３のいずれかに記載の方法。
【請求項５】
前記複数の移動端末が、識別情報信号を含む前記リクエストを前記外部表示装置に送信するステップをさらに備える請求項１から４のいずれかに記載の方法。
【請求項６】
前記識別情報は、International Mobile Subscriber
Identifier (IMSI)である、請求項１から５のいずれかに記載の方法。
【請求項７】
前記識別情報を検証するステップは、検証データを前記外部表示装置と通信するサーバーと第２の通信ネットワークを通じて通信している前記外部表示装置が、データベース検索を遂行するステップをさらに備える請求項１から６のいずれかに記載の方法。
【請求項８】
前記検証データに従って前記通信セッションを終了するステップをさらに備える請求項７に記載の方法。
【請求項９】
前記識別情報を検証するステップは、前記通信セッションのパラメータを記録するセッションレコーダーを起動するステップを備える、請求項１から８のいずれかに記載の方法。
【請求項１０】
前記通信セッション・パラメータは、ログイン時間やログアウト時間、及び／又は転送データ量などの情報を含む、請求項１から９のいずれかに記載の方法。
【請求項１１】
前記通信セッションが開始したことを前記複数の移動端末のそれぞれのユーザーに教えるために、前記外部表示装置が準備完了イメージを表示するステップをさらに備える、請求項１から１０のいずれかに記載の方法。
【請求項１２】
前記複数の移動端末がインストラクション・データを前記外部表示装置に送信するステップをさらに備える請求項１から１１のいずれかに記載の方法。
【請求項１３】
前記インストラクション・データが、前記外部表示装置に表示されるべきグラフィックデータ、又は、前記外部表示装置によって実行されるべき制御データ、又は、それらの如何なる組み合わせ、のいずれかを含む請求項１２に記載の方法。
【請求項１４】
前記外部表示装置が、前記通信セッション・パラメータに従って前記複数の通信端末のそれぞれに課金するステップを備える、請求項１から１３のいずれかに記載の方法。
【請求項１５】
前記課金するステップは、前記セッションレコーダーによる前記通信セッション・パラメータの記録を終了するステップと、前記通信セッション・パラメータを基に、前記複数の移動端末のそれぞれの口座から引き落とす額を前記外部表示装置が計算するステップとを備える、請求項１４に記載の方法。
【請求項１６】
前記外部表示装置が、前記第２の通信ネットワークを通じて前記引き落とし額を前記サーバーに伝達するステップをさらに備える請求項１５に記載の方法。
【請求項１７】
前記課金するステップは、前払い方式により開始される、請求項１４に記載の方法。
【請求項１８】
前記外部表示装置が前記インストラクション・データ中に終了命令を識別するまで、前記通信セッションを維持するステップを備える、請求項１から１７のいずれかに記載の方法。
【請求項１９】
前記外部表示装置が前記複数の移動端末の各々からインストラクション・データを受信すると共に、前記複数の移動端末が相互に通信するように構成されるステップを備える、請求項１から１８のいずれかに記載の方法。
【請求項２０】
前記複数の移動端末が前記第２の通信ネットワークに接続している複数のサーバーからアプリケーションを直接受信するステップを備え、前記プロセッサーが前記アプリケーションを実行して前記ディスプレイユニットにグラフィックデータを送信する、請求項１６から１９のいずれかに記載の方法。
【請求項２１】
複数の要求している通信端末との通信セッションを提供する外部表示装置であって、
（ａ）第１の通信ネットワークを通じて前記複数の通信端末と通信するための第１のI/Oユニットと、
（ｂ）前記第１のI/Oユニットによって受信したインストラクション・データを実行する処理ユニットと、
（ｃ）第１の駆動ユニットによって駆動されて画像を表示すると共に、前記インストラクション・データに従って画像を表示するディスプレイユニットと、を備える外部表示装置
【請求項２２】
前記第１のI/Oユニットは、前記第１の通信ネットワークに接続するために、赤外線接続やBluetooth接続などの無線接続手段、又は、ドケットステーションや有線コネクタなどの優先接続手段、又は、これらの如何なる組み合わせ、のいずれかを備える、請求項２１に記載の外部表示装置。
【請求項２３】
第２の通信ネットワークを通じてサーバーと通信するための第２のI/Oユニットを備えると共に、前記処理ユニットは前記第２のI/Oユニットが受信したデータを提供するように構成される、請求項２１又は２２に記載の外部表示装置。
【請求項２４】
前記第２のI/Oユニットは、専用線、構内通信網、広域通信網、都市領域ネットワーク、インターネットワーク、又はこれらの如何なる組み合わせ、のいずれかと、有線又は無線で接続する手段を備える、請求項２１から２３のいずれかに記載の外部表示装置。
【請求項２５】
前記処理ユニットは、前記移動端末から受信したインストラクション・データを実行するように構成されたマイクロプロセッサーを備え、前記インストラクション・データは、前記ディスプレイに直接表示するためのグラフィックデータ又は前記マイクロプロセッサーで直接実行するための制御データである、請求項２１から２４のいずれかに記載の外部表示装置。
【請求項２６】
前記ディスプレイは、６インチから４２インチの範囲や、６インチから１２インチ、１０インチから１６インチ、１４インチから２６インチ、２４インチから４２インチなどの範囲の大きさを備える、請求項２１から２５のいずれかに記載の外部表示装置。
【請求項２７】
前記ディスプレイは、互いに関連した一群のディスプレイユニットを備える、請求項２１から２６のいずれかに記載の外部表示装置。
【請求項２８】
前記ディスプレイは、ブラウン管ディスプレイ、液晶ディスプレイ、投写型ディスプレイ、又はこれらの如何なる組み合わせ、のいずれかを備える請求項２１から２７のいずれかに記載の外部表示装置。
【請求項２９】
前記処理ユニットからの前記インストラクション・データに従って音声を受信する第２の駆動部によって駆動されるラウドスピーカーをさらに備える請求項２１から２８のいずれかに記載の外部表示装置。
【請求項３０】
前記第２の通信ネットワークは、ムービーストリームやゲーム、株式市場概況、インターネットへのアクセス、ショッピング設備、又はこれらを様々に組み合わせたもの等の情報を提供している複数のサーバーへの接続手段を備える、請求項２１から２９のいずれかに記載の外部表示装置。
【請求項３１】
ランダム・アクセス・メモリ（RAM）のような共有メモリを備える請求項２１から３０のいずれかに記載の外部表示装置。
【請求項３２】
前記処理装置は前記共有メモリへのアクセスを制限するように構成される、請求項３１に記載の外部表示装置。
【請求項３３】
前記共有メモリは保護されておらず、前記複数の端末のどれもが前記共有メモリのメモリ空間の同じセクションに同時に書き込むことを許可するように構成される、請求項３１に記載の外部表示装置。
【請求項３４】
前記共有メモリの異なるメモリ空間は異なったやり方で保護される、請求項３１に記載の外部表示装置。
【請求項３５】
前記複数の移動端末の各々は、保護された専用のセクションを前記メモリ空間に有し、保護されたセクションは前記ディスプレイユニットの特定のセクションに対応する、請求項３４に記載の外部表示装置。
【請求項３６】
前記複数の移動端末のいずれも前記複数のサーバーから直接にアプリケーションを受信するように構成され、前記処理ユニットは、前記前記ディスプレイユニットに送信された前記アプリケーションデータとグラフィックデータを実行するように構成される、請求項３０から３５のいずれかに記載の外部表示装置。
【請求項３７】
複数の移動端末との同時通信のための請求項２１から３６のいずれかに記載の外部表示装置の利用であって、ゲームのような複数プレイヤーが存在するセッションにおいて、前記複数の移動端末のうちの幾つでも前記外部表示装置と同時に通信できることを可能とする、利用。
【国際調査報告】
2006502473.tif 000006
2006502473.tif 000007
2006502473.tif 000008